(57)【要約】      （修正有）【課題】僅かな部材の追加と簡便な組み換え作業で、幼児用添寝ベッドへ変更できる添寝用ベビーベッドを提供する。【解決手段】出願人は先に、妻枠２，３の前端より前方へ突出した床板６を、大人用のベッドの高さに調整可能に左右の妻枠２，３に取り付けるとともに、前枠を床板６の上に載せた状態で両端を妻枠２，３に脱着可能に取り付けるようにした添寝用ベビーベッドを開発している。この添寝用ベビーベッドは、赤ちゃんが成長すると使用できない。本考案は、後枠５に拡後枠５Ａを連結するとともに床板６に拡張床６Ａを連結して、ベッドを長手方向へ３００〜５００ｍｍ延長して、幼児用添寝ベッドとして使用できるようにした。【選択図】図１
0003214436.tif 000002
【実用新案登録請求の範囲】
【請求項１】
妻枠の前端より前方へ突出した床板を、大人用のベッドの高さに調整可能に左右の妻枠に取り付けるとともに、前枠を該床板の上に載せた状態で両端を妻枠に脱着可能に取り付けるようにした添寝用ベビーベッドにおいて、赤ちゃんが成長したときベッドの長手方向を長くするため、予め用意した長手方向が３００〜５００ｍｍの拡後枠と拡張床をそれぞれ該後枠と該床板に連設して幼児用添寝ベッドに組み換えできるようにしたことを特徴とする添寝用ベビーベッド。
【請求項２】
床板の下方に設ける収納棚は、後枠に係止したブラケットと、前面側に設けた妻枠間を横架する支持棒と、に載置されたものとし、前記幼児用添寝ベッドへ組み換え時には、該支持棒に前記拡張床と同じ長さの継棒を連設して妻枠間に横架して、該収納棚を使用するようにしたことを特徴とする請求項１に記載の添寝用ベビーベッド。
【考案の詳細な説明】
【技術分野】
【０００１】
本考案は、大人用のベッドと連接して使用する添寝用ベビーベッドに関する。
【背景技術】
【０００２】
出願人は、先に、大人用のベッドに連接する添寝用ベビーベッドを開発している（特許文献１）。
この添寝用ベビーベッドは、図５に示すように、前側が左右の妻枠２，３の前端より前方へ突出させた床板６を、大人用のベッドの高さと同じにできるように上下調整可能に設け、前枠４は床板６の上に載せた状態で両端を妻枠２，３に脱着可能に取り付けられている。
【０００３】
このように構成されているので、添寝用ベビーベッドは大人用ベッドとの間に隙間ができず、大人用のベッドに連接された状態で、添寝しないときは、前枠４を取付けることができる。
【先行技術文献】
【特許文献】
【０００４】
【特許文献１】実用新案登録３１９７９８５
【考案の開示】
【考案が解決しようとする課題】
【０００５】
特許文献１の添寝用ベビーベッドは、大人用のベッドに隙間なく連接でき、前枠４も使用できるので、添寝に適しているが、赤ちゃんが成長すると長さが足らなくなり、使用できなくなる。しかしながら、幼児になっても、添寝を続けたいという要望が多い。
【０００６】
本考案は、このような要望に基いて開発されたものであり、その目的とするところは、僅かな部材の追加と簡便な組み換え作業で、幼児用添寝ベッドに変更できる添寝用ベビーベッドを提供することにある。
【課題を解決するための手段】
【０００７】
本考案の添寝用ベビーベッドは、上記の目的を達成するため、次のように構成した。
すなわち、妻枠の前端より前方へ突出した床板を、大人用のベッドの高さに調整可能に左右の妻枠に取り付けるとともに、前枠を該床板の上に載せた状態で両端を妻枠に脱着可能に取り付けるようにした添寝用ベビーベッドにおいて、赤ちゃんが成長したときベッドの長手方向を長くするため、予め用意した長手方向が３００〜５００ｍｍの拡後枠と拡張床をそれぞれ該後枠と該床板に連設して幼児用添寝ベッドに組み換えできるようにしたことを特徴としている。
【０００８】
この考案は、添寝用ベビーベッドの後枠と床板に、拡後枠と拡張床を追加連設して長手方向を３００〜５００ｍｍ長くして、幼児用添寝ベッドに変更できるようにしたものである。なお、幼児用添寝ベッドでは前枠は使用しない。
また、床板の下方で床面近くには、通常、収納棚が設けられているが、これの支持は、後枠と両妻枠に支持部材を付設するのが一般的である。しかし、このようにすると、床板を拡張する場合は収納棚も拡張する必要がある。そこで、請求項２に記載のように、収納棚は、後枠に付設したブラケットと、前面側に設けた妻枠間を横架する支持棒とに載置したものとし、前記幼児用添寝ベッドへ組み換え時には、該支持棒に前記拡張床と同じ長さの継棒を連設して妻枠間に横架し、収納棚は拡張せずに使用するとよい。
また、赤ちゃん用品の収納および取り出しは、妻枠に開閉扉を設けて行うが、収納棚は使用する開閉扉側へ寄せて載置するとよい。
【考案の効果】
【０００９】
本考案の添寝用ベビーベッドは、赤ちゃんが成長したとき、拡後枠と拡張床を後枠と床板にそれぞれ連設して長手方向を長くした幼児用添寝ベッドに変更できるので、長い間使用できる。また、床板の下方に収納棚を設ける場合は、請求項２に記載のように、収納棚を、後枠に付設したブラケットと、前面側に設けた妻枠間を横架する支持棒とに載置したものとし、幼児用添寝ベッドへ組み換え時には、該支持棒に前記拡張床と同じ長さの継棒を連設するようにしたので、従来の収納棚をそのまま使用できる。
【図面の簡単な説明】
【００１０】
【図１】本考案の実施の形態である添寝用ベビーベッドを組み換えて作った幼児用添寝ベッドの全体を示す斜視図である。
【図２】同、幼児用添寝ベッドへの組み換えに必要な追加部材を示すもので、（ａ）は拡後枠の正面図、（ｂ）は、拡張床の平面図、（ｃ）は、継棒の斜視図である。
【図３】同、後枠の幼児用への組み換え状態を示す正面図である。
【図４】同、床板の幼児用への組み換え状態を示す裏面平面図および側面図である。
【図５】添寝用ベビーベッドの全体を示す斜視図である。
【考案を実施するための形態】
【００１１】
以下、本考案の添寝用ベビーベッドの実施の形態を図面に基いて説明する。
図１は、図５の添寝用ベビーベッドを組み替えて作った幼児用の添寝ベッドの全体斜視図で、図２は、幼児用添寝ベッドへ組み替えに必要な部材を示している。また、図３は、後枠の幼児用への組み換え状態を示す説明図で、図４は、床板の幼児用への組み換え状態を示す説明図である。
【００１２】
添寝用ベビーベッドは、図５に示すように、左右の妻枠２，３と、前後の前枠４、後枠５とによって長方形に囲われる空間に、前側が妻枠２，３の前端より突出させた張出部６５を有する床板６が取り付けられている。
床板６は、図示してないが、マットレスが敷かれ、この高さと大人用のベッドの高さが同じ高さになるように左右の妻枠２，３に取り付けられている。
すなわち、床板６は、妻枠２，３に取り付けられた縦桟２４，３４に設けられた複数の挿通孔２６，３６および後枠５の両端の縦桟に設けられた複数の挿通孔５ａの適宜の位置のものに、床受鋲５６（ベビーベッドの内側に支持片が付設されたもの：図３参照）を付設し、これに載置している。
【００１３】
前枠４は床板６の上に載せた状態で両側を妻枠２，３の前縦枠２１ａ、３１ａに係止材４４で脱着可能に取り付けられている。係止材４４は、前枠４が内側へは係止して倒れないように、外側から取り付けられている。
また、床板６の下方で床面近くには、赤ちゃんの用品を収納する収納棚４６が設けられている。この収納棚４６は、後枠５に付設した２個のブラケット５７（後枠５の下端の水平部材と収納棚４６の後側を連結する部材：図３参照）と、前側に妻枠２，３に横架された支持棒４７に載置されている。そして、収納棚４６へ赤ちゃん用品を収納または取り出すための開閉扉２５，３５が妻枠２，３に設けられている。
なお、添寝用ベビーベッドの大きさは、ここでは、長さ９６３ｍｍ、幅５１５ｍｍ、高さ、１０００ｍｍとしている。
【００１４】
添寝用ベビーベッドはこのように構成されているので、床板６にマットレスを敷設したときの高さを、大人用ベッドの高さと同じくして、隙間なく連接することができる。
また、前枠４は、床板６上に取付けられているので、大人用ベッドを連接したままの状態であっても、取付けることができる。
なお、床板上に敷設されるマットレスは、図示してないが、前枠４を床板上に取付ける際には、前端側を折曲げできるようにしたものを使用する。
【００１５】
添寝用ベビーベッドは、前枠４、後枠５、妻枠２，３、床板６、収納棚４６に分解されて、扁平状に梱包され、輸送、保管される。そして、組立は購入者が行っている。
本考案の添寝用ベビーベッドには、上記の部材の外に、図２に示す、拡後枠５Ａと、拡張床６Ａと、継材４６Ａが梱包されている。
【００１６】
次に、添寝用ベビーベッドを、図２に示す部材を追加して組み替えて、幼児用添寝ベッドに変更する作業について説明する。
まず、添寝用ベビーベッドを前枠４、後枠５、妻枠２，３、床板６、収納棚４６に分解し、図２に示す、拡後枠５Ａと拡張床６Ａと継材４６Ａを用意する。
拡後枠５Ａは、枠体に縦桟が複数付設された後枠５と同様の形をしており、幅が後枠５より狭いもので、ここでは、幅４００ｍｍのものを使用している（なお、高さは９２８ｍｍである）。中央部の縦桟には、床受鋲５６を取り付けるための複数個の挿通孔５ｂが設けられている。
また、拡張床６Ａは、拡床６５に継材６６が２本の延設されたもので、ここでは、拡床６５の幅が４８９ｍｍで、長さ４００ｍｍのものを使用している。
そして、継棒４６Ａは、長さ４００ｍｍの棒状のもので、一端に雄ねじ４６ｂが、他端に雌ねじ４６ｂが設けられている。
【００１７】
次に、後枠５に拡後枠５Ａを連設して後枠５Ｌを作るとともに、床板６に拡張床６Ａを連設して床板６Ｌを作る。
後枠５Ｌは、図３に示すように、後枠５の長手方向端部に拡後枠５Ａをボルト５５で連設することにより作ることができる。
また、床板６Ｌは、図４に示すように、床板６を裏返しにして長手方向へ拡張床６Ａを密接し、枠体６ａ同士をボルト６８で締結する。そして、延設された継材６６を床板６の縦桟６ｂにボルト６９で締結する。
【００１８】
次に、組立てた後枠５Ｌに、妻枠２，３を組み付ける。そして、妻枠２，３のねじ桟２４，３４の適宜の位置（大人用のベッドの高さ）の挿通孔２６，３６および後枠５Ｌにもうけられた同様の挿通孔５ａ、５ｂに床受鋲５６を固定し、床板６Ｌをその上に載せる。
続いて、収納棚４６を取り付ける。まず、後枠５Ｌにブラケット５７を取り付け、支持棒４７に継棒４７Ａをねじ込み、両端を妻枠２と妻枠３へボルト４７ｃで締結する。
そして、該ブラケット５７と支持棒４７に収納棚４６を載置する。収納棚４６は、長手方向が短いが、使い勝手のよい方、妻枠２または妻枠３側へ寄せて載置する。
以上の作業により、図１に示す、長手方向が添寝用ベビーベッドに比べ４００ｍｍ長い幼児用添寝ベッドが組立てられる。
【００１９】
幼児用添寝ベッドは、床板６Ｌが大人用のベッドに隙間なく連接され、添寝用ベビーベッドの場合と同じように添寝ができる。なお、幼児は歩けるようになっており、前枠は必要とされない。
なお、上記実施の形態の説明では、考案を理解できるように、大きさを示して説明したが、これに限るものではないことは当然である。
【符号の説明】
【００２０】
１  ベビーベッド
２，３  妻枠
２１ａ，３１ａ  前縦枠
２４，３４  ねじ桟
２５，３５  開閉扉
２６，３６  挿通穴
４  前枠
４４  係止材
４６  収納棚
４７  支持棒
４７Ａ  継棒
４７ａ  ネジ孔
４７ｂ  雄ねじ
５  後枠
５ａ  挿通孔
５ｂ  挿通孔
５Ａ  拡後枠
５Ｌ  後枠
５５  ボルト
５６  床受鋲
５７  ブラケット
６  床板
６Ａ  拡張床
６Ｌ  床板
６ａ  枠体
６ｂ  縦桟
６５  拡床
６６  継材
６８  ボルト
６９  ボルト
【図１】
0003214436.tif 000003
【図２】
0003214436.tif 000004
【図３】
0003214436.tif 000005
【図４】
0003214436.tif 000006
【図５】
0003214436.tif 000007
【手続補正書】
【提出日】平成29年11月9日(2017.11.9)
【手続補正１】
【補正対象書類名】実用新案登録請求の範囲
【補正対象項目名】全文
【補正方法】変更
【補正の内容】
【実用新案登録請求の範囲】
【請求項１】
左右の妻枠と、前後の前枠および後枠とによって長方形に囲われる空間に、該妻枠の前端より前方へ突出した床板を、大人用のベッドの高さに調整可能に該左右の妻枠に取り付けるとともに、該前枠を該床板の上に載せた状態で両端を該妻枠に脱着可能に取り付けるようにした添寝用ベビーベッドにおいて、赤ちゃんが成長したときベッドの長手方向を長くするため、予め用意した長手方向が３００〜５００ｍｍの拡後枠と拡張床をそれぞれ該後枠と該床板に連設して幼児用添寝ベッドに組み換えできるようにしたことを特徴とする添寝用ベビーベッド。
【請求項２】
前記床板の下方に設ける収納棚は、前記後枠に係止したブラケットと、前面側に設けた妻枠間を横架する支持棒と、に載置されたものとし、前記幼児用添寝ベッドへ組み換え時には、該支持棒に前記拡張床と同じ長さの継棒を連設して妻枠間に横架して、該収納棚を使用するようにしたことを特徴とする請求項１に記載の添寝用ベビーベッド。
【手続補正２】
【補正対象書類名】明細書
【補正対象項目名】０００２
【補正方法】変更
【補正の内容】
【０００２】
出願人は、先に、大人用のベッドに連接する添寝用ベビーベッドを開発している（特許文献１）。
この添寝用ベビーベッドは、図５に示すように、左右の妻枠２，３と、前後の前枠４、後枠５とによって長方形に囲われる空間に、前側が左右の妻枠２，３の前端より前方へ突出させた床板６を、大人用のベッドの高さと同じにできるように上下調整可能に設け、前枠４は床板６の上に載せた状態で両端を妻枠２，３に脱着可能に取り付けられている。
【手続補正３】
【補正対象書類名】明細書
【補正対象項目名】０００７
【補正方法】変更
【補正の内容】
【０００７】
本考案の添寝用ベビーベッドは、上記の目的を達成するため、次のように構成した。
すなわち、左右の妻枠と、前後の前枠および後枠とによって長方形に囲われる空間に、該妻枠の前端より前方へ突出した床板を、大人用のベッドの高さに調整可能に該左右の妻枠に取り付けるとともに、該前枠を該床板の上に載せた状態で両端を該妻枠に脱着可能に取り付けるようにした添寝用ベビーベッドにおいて、赤ちゃんが成長したときベッドの長手方向を長くするため、予め用意した長手方向が３００〜５００ｍｍの拡後枠と拡張床をそれぞれ該後枠と該床板に連設して幼児用添寝ベッドに組み換えできるようにしたことを特徴としている。